(57)【要約】      （修正有）【課題】水平方向に保持した状態で種々方向に移動可能とするとともに物品等々の収納量に応じてバッグの高さを調整可能とする新種自在式キャリーバッグを提供する。【解決手段】底板１に固持される物品を収納する下部バッグ体２と、この下部バッグ体２の上側に配置され開閉蓋４を有する上部バッグ体３と、下部バッグ体２と上部バッグ体３との間に配置された伸縮可能な中間バッグ体６と、底板１に固設され下部バッグ体２と係合された伸縮可能な一対の支柱８と、この支柱８の端部に取り付けられた取手杆９と、下部バッグ体２の裏面側に配置された付属品収納袋と、底板１の裏面の複数箇所に取り付けられたキャスター１２とを設けたものである。【選択図】図１
0003148302.tif 000002
【実用新案登録請求の範囲】
【請求項１】
底板に取外し可能に固定される下部バッグ体と、下部バッグ体の上側に配置され開閉蓋を有する上部バッグ体と、上記下部バッグ体と上記上部バッグ体との間に配置された伸縮自在な中間バッグ体と、上記底板に固設され上記下部バッグ体と係合された伸縮自在な一対の支柱と、上記支柱の端部に取り付けられた取手杆と、上記下部バッグ体の底板に付属品収納する付属品収納部と、上記底板の裏面の複数箇所に取り付けられたキャスターとを備え前記低板の周囲に脱落防止用の立上り部を形成し前部には鞄の出し入れがしやすいように低くするのを特徴とする伸縮自在式キャリーバッグ。
【請求項２】
上記中間バッグ体は伸縮可能なジャバラ状に構成されたことを特徴とする請求項１記載の伸縮自在式キャリーバッグ。
【請求項３】
上記中間バッグ体は通常時縮んだ状態にあり、係止部材により縮んだ状態に保持されることを特徴とする請求項１または請求項２に記載の伸縮自在式キャリーバッグ。
【請求項４】
上記係止部材はバンド体であることを特徴とする請求項３記載の伸縮自在式キャリーバッグ。
【請求項５】
上記係止部材はアイレットで設けられた穴に紐を通して、下部バッグ体と上部バッグ体とを結合することにより上記中間バッグ体が外部から見えないようにしたことを特徴とする請求項３記載の伸縮自在式キャリーバッグ。
【請求項６】
上記付属品収納袋は伸縮自在に構成されていることを特徴とする請求項項１記載の伸縮自在式キャリーバッグ。
【請求項７】
上記付属品は折りたたみ式携帯用椅子であることを特徴とする請求項１〜６の何れか一項記載の伸縮自在式キャリーバッグ。
【請求項８】
上記付属品は折りたたみ式携帯用キャリーバッグ置き箱であることを特徴とする請求項１〜６の何れか一項記載の伸縮自在式キャリーバッグ。
【請求項９】
上記キャスターにストッパを設けたことを特徴とする請求項１〜８の何れか一項記の伸縮自在式キャリーバッグ。
【請求項１０】
上記取手杆にフックを設けたことを特徴とする請求項１〜９の何れか一項記載の伸縮自在式キャリーバック。
【考案の詳細な説明】
【技術分野】
【０００１】
この考案は、物品等々をバッグ本体内に収納し、旅行用、運搬用などとして利用する伸縮自在式キャリーバッグに関するものである。
【背景技術】
【０００２】
従来のキャリーバッグにおいては、底板の裏面に一対の車輪を設け、運搬する方向にのみ回動、即ち、キャリーバッグを引っ張る方向に回動して運搬するものがある。
また、キャリーバッグを種々方向へ移動させて、高齢者あるいは足や腰が丈夫でない方の杖がわりとするようにしたものもある。
【０００３】
【特許文献１】特開平１１−２０４０２号公報
【特許文献２】実用新案登録第３０９４２４８号公報
【特許文献３】特開２００６−３４５９１２号公報
【考案の開示】
【考案が解決しようとする課題】
【０００４】
上述した従来技術において、旅行用、運搬用などとして利用するキャリーバッグは、底板の前面側にストッパを設け、底板の裏面側に引っ張り方向にのみ回動する一対の車輪を設け、底板に固着されるバッグも固定状態で上部にファスナーにより開閉する開閉蓋を設けたものが一般的である。
【０００５】
また、バッグ本体は固定状態であり、物品等々の収納量が多くても少なくてもそれらに応じてバッグ本体の高さを調整することができないという問題があった。
【０００６】
この考案は、上述した課題を解決するためになされたものであり、水平方向に保持した状態で種々方向に移動可能とするとともに物品等々の収納量に応じてバッグの高さを調整可能とする新種自在式キャリーバッグ（以下単にキャリーバックという）を提供することを目的とする。
【課題を解決するための手段】
【０００７】
この考案は、底板に取外し可能に固持される物品を収納する下部バッグ体と、この下部バッグ体の上側に配置され開閉蓋を有する上部バッグ体と、下部バッグ体と上部バッグ体との間に配置された伸縮自在な中間バッグ体と、底板に固設され下部バッグ体と係合された伸縮自在な一対の支柱と、この支柱の端部に取り付けられた取手杆と、下部バッグ体の裏面側に支柱を配し底板の上部に
付属品を収納する付属品収納部を設け、底板の裏面の複数箇所に種々方向に回動自在に取り付けられたキャスターとを設けたものである。
【考案の効果】
【０００８】
この考案のキャリーバッグによれば、底板の裏面の複数箇所に回動自在に取り付けられたキャスターにより水平方向に保持した状態で種々方向に移動可能とするともに、下部バッグ体と上部バッグ体との間に配置された伸縮自在な中間バッグ体を設けたので、物品等々の収納量に応じてバッグの高さを調整可能とすることができる。
【考案を実施するための最良の形態】
【０００９】
実施の形態１．
この考案の実施の形態１を図１〜図１０に基づいて説明する。これら各図において、１はキャリーバッグのベースとなる底板、種々物品を収納する下部バッグ体、３は下部バッグ体２の上側に配置され開閉蓋４を有する上部バッグ体であり、例えば紐により開閉される。６は下部バッグ体２と上部バッグ体３との間に配置された伸縮自在な中間バッグ体であり、例えばジャバラ状に構成されている。中間バッグ体６は通常時には縮んだ状態にあり、例えばバンド体からなる係止部材７により縮んだ状態に保持される。、下部バッグ体２と図示しないフレームなどを介して係合された例えば２段階に伸縮自在な一対の支柱、９は一対の支柱８の端部に取り付けられた取手杆、１０は取手杆９の中央部に設けられ支柱８の伸縮状態を調整する調整レバー、１１は下部バッグ体１２は底板１の裏面の４か所例えば４隅部に種々方向に回動自在に取り付けられたキャスターである。なお、キャスターは、取手杆９側に２箇所取り付けるようにしてもよく、その場合はキャスターは回転自在のものでなく固定式のものがよい。１３は下部バッグ体２の前面側に設けられた前部収納体であり、例えばファスナー１４により開閉され、種々小物品等々が収納できるように構成されている。１５は下部バッグ体２の側面側に設けられた側部収納体であり、中、小型のお茶などのペットボトル、ジュースボトル、コーヒーボトルや折りたたみ傘等々が収納できるように構成されている。なお、一対の支柱８間の間隔は図１７に示すように狭くしてもよい。
【００１０】
次に動作について説明する。底板１の裏面の４か所に種々方向に３６０度回動自在に取り付けられたキャスター１２により、キャリーバッグは常に水平状態に保持され、この水平状態に保持された状態でキャリーバッグは種々方向に移動可能となる。したがって、取手杆９の調整レバー１０により支柱８を上方に伸長させ、取手杆９を持ってキャリーバッグを任意の水平方向に簡易に移動させることができるので、高齢者あるいは足や腰が丈夫でない方の楽して
キャリーバッグを押して歩くことができるという利便性に優れたキャリーバッグを得ることができる。勿論のことながら通常の人でもキャリーバッグを軽く種々水平方向に移動させることができ、実用上有用なものである。
【００１１】
また、物品等々の収納量が少ない場合は図１に示すように下部バッグ体２と上部バッグ体３との間に配置された伸縮可能な中間バッグ体６を縮んだ状態で係止部材７により保持し、物品等々の収納量が多くなった場合は図３に示すように係止部材７による中間バッグ体６の保持状態を解除し、中間バッグ体６を上方に伸長させ収納面積を増大させることができる。したがって、物品等々の収納量に応じて中間バッグ体６を伸長させてバッグの高さを例えば１０ｃｍほど高くするよう調整可能とすることができるという利便性に優れたキャリーバッグを得ることができる。
【００１２】
ところで、中間バッグ体６を伸長させてバッグの高さを例えば１０ｃｍほど高くした場合は中間バッグ体６がジャバラ状に構成されているので、キャリーバッグを移動中にぐらぐらする可能性がある。そこで、図４に示すように、支柱のに皮で輪を作り上部バッグ体３に引っ掛け部材皮バンドで輪をを設けカバンのホックと、支柱の和の皮バンドを留めることにより、中間バッグ体６、上部バッグ体３がぐらぐらするのを防止することができる。このようなぐらぐらするのを防止する手段はこの実施の形態に限定されるものではなく、他の防止手段であってもよいことは勿論のことである。
【００１３】
さらに、係止部材７としてはバンド体の場合について述べたが、図５および図６に示すようにバンド体に替えて例えば係止部材として構造とし、、
【００１４】
ところで、上述した各実施の形態では中間バッグ体６により２段階でバッグの高さを調整する場合について述べたが、中間バッグ体６を２段構造として３段階でバッグの高さを調整することも考えられる。例えば、中間バッグ体６を全く使用しない最初の段階の高さは約２５ｃｍ、第１段の中間バッグ体６を使用する段階の高さをＡ４の書類を挟むバインダーが縦方向に入る約３３ｃｍ、第２段階の中間バッグ体６を使用する段階の高さを機内持ち込みが許容可能な例えば４２ｃｍ位に調整可能に構成することも可能である。なお、これらの３段階の高さ寸法は一例であり、目的に応じた高さ寸法な調整可能にするよう構成できることは勿論のことである。
【００１５】
付属品収納部に付属品としての折りたたみ式携帯用椅子１９、折りたたみ式携帯用キャリーバッグ置き箱２０を収納した状態を示している。なお、図示はしていないが、付属品収納袋１１にカバーを設けることにより、折りたたみ式携帯用椅子１９、折りたたみ式携帯用キャリーバッグ置き箱２０が見えないようにすることも可能であり、美観上も良好とすることができる。また付属品収納袋１１はバック本体２，３，６等と同様に
【００１６】
まず、折りたたみ式携帯用椅子１９は図８に示すようにパイプ状の脚部１９ａ、１９ｂが枢軸１９ｃにより回動できるようになっており、パイプ状の脚部１９ａ、１９ｂには座席シート１９ｄが跨設されている。この折りたたみ式携帯用椅子１９をキャリーバッグの付属品収納部に収納して持ち歩いていると、博覧会、パピリオン、デパート等々のイベントで長時間並ぶ時、或いはバスの乗車待ちの際バス停にベンチが設置されてなくバスが来るまで待っている時等々において、折りたたみ式携帯用椅子１９を付属品収納袋１１から取り出し、折りたたみ式携帯用椅子１９を開いて座ることができ、高齢者や足もとが不自由な方には大変利便性に優れたものである。なお、折りたたみ式携帯用椅子１９としては使用される方々の体重に応じた強度を有するものを収納すれば、安全上も考慮したものとなる。下部バッグ体２、上部バッグ体３、中間バッグ体６や付属品収納袋１１との材質や図柄とマッチングさせれば、トータルファッション化したキャリーバッグとすることができる。  
【００１７】
実施の形態２．
この考案の実施の形態２を図１３に基づいて説明する。図１３はキャリーバッグの底板１とキャスター１２部分を示すものであり、キャスター１２の少なくとも何れか１個にストッパ２１を設けたものである。キャスター１２は種々方向に３６０度回動可能な状態であり、電車に乗った時、電車の発車や停止等々において動くことが多々あるので、キャスター１２の少なくとも何れか１個に設けたストッパ２１により、当該キャスター１２をロックすることによりキャリーバッグの動きを防止でき、キャリーバッグが動いて電車に乗車している人に怪我をさせたりすることが全くない安全性にも優れたものである。
【００１８】
実施の形態３．
２２は小物やビニール袋等々を引っ掛けるフックであり、支点２２ａにより回動可能に構成され、取手杆９に設けた凹部２３内に収納された保持されるようになっている。フック２２を使用しない時は取手杆９の凹部２３内に収納して保持しておくことにより美観性に優れ、小物やビニール袋等々を引っ掛ける時に凹部２３からフック２２を取り出して使用することができ、利便性に優れたものである。なお、図示はしないが、フック２２を取手杆９の側面部に回動可能に取り付けるとともにフック２２を使用しない時は取手杆９の側面部に保持させるようにしてもよい。
【００１９】
なお、上述した各実施の形態において、上部バッグ体３の開閉蓋４は水平に構成されている場合について述べたが、図１５に示すように、斜めに構成、すなわち上部バッグ体３の手前側を低くなるように傾斜させ、開閉蓋４を開けた時の開口面積を増大させて物品の出し入れを容易に行えるようにしてもよい。
【００２０】
また、上述した各実施の形態において、一対の支柱８は各バッグ体の後方外側に配置されている場合について述べたが、図１６に示すように、一対の支柱８は各バッグ体を貫通させることにより、一対の支柱８は各バッグ体内に配置させ、支柱８をできるだけ外部から見えない構成とすることができる。さらに、図５および図６の実施の形態において、一対の支柱８を各バッグ体内に配置させる構成とすることにより、
【００２１】
また、上述した各実施の形態において、一対の支柱８は各バッグ体の両縁部近傍に位置するよう配置した場合について述べたが、図１７に示すように、各バッグ体の中央部側に位置するよう配置することにより、ショルダーバツクなどの小物バッグを支柱８に通して上部バッグ体３の開閉蓋４上部に載置させるようにしてもよい。
【００２２】
また、上述した各実施の形態において、支柱８の固定の仕方については特段述べていないが、例えば図１８に示すように、底板１上の後方面側に補強板２４、両側方面側に補強板２５を設け、底板１と補強板２４に支柱８をそれぞれ締結具２６によって強固に固定することにより安定したキャリーバッグを得ることができる。また、底板１上の前方面側にも補強板を設けてもよい。
【００２３】
ところで、上述した各実施の形態においては、キャリーバッグの大きさは特に限定していないが、例えば横幅３０ｃｍ位、奥行き１８〜２０ｃｍ位、高さ２５〜４０ｃｍ位で構成することにより、自転車の前籠に入れることができかつ高さもハンドルの高さ位であり、自転車の運転にも支障がないものとなる。要するに入れたい籠や乗せたい車などのスペースに合うよう本考案のキャリーバッグを製造すればよい。また、飛行機に搭乗する場合は、機内に持ち込める大きさとすることにより、キャスター１２の機能によりキャリーバッグを容易に機内で押して移動させることができるので、キャリーバッグの機内への持ち込みをスムーズに簡易に行うことができる。
【００２４】
また、キャリーバッグの下部バッグ体２、上部バッグ体３、中間バッグ体６や付属品収納袋１１の材質を防水性材料で構成することにより、雨による劣化を防止することができる。或いはキャリーバッグの下部バッグ体２、上部バッグ体３、中間バッグ体６や付属品収納袋１１としては一般的には黒色、茶色、ベージュ、ピンクなどの無地のものが考えられるが、おしゃれな柄、刺繍、造花などと組み合わせてファッション感覚に優れたキャリーバッグとしてもよいことは勿論のことである。また、キャリーバッグの上方部の支柱８を利用してその支柱８にショルダーバッグを取り付けることも考えられ、この場合はキャリーバッグの下部バッグ体２、上部バッグ体３、中間バッグ体６や付属品収納袋１１との材質や図柄とマッチングさせれば、より一層ファッション感覚に優れたキャリーバッグとすることができる。
【００２５】
上述した各実施の形態は一例であり、これらの実施の形態やこれら用途に限定されるものではない。
【００２６】
伸縮自在のキャリーバック、ショルダーバック、はおそろいの布で作る。
自転車に乗せる人の為、防水の生地も造る
市販の折りたたみ椅子は椅子の丈夫な生地の上に、カバンとおそろいの布で
共通を持たせる為、一部お揃いの布を縫い付ける。
伸縮自在のキャリーバックとショルダーバックは、同じ生地の上に、お揃いの、アップリケを造り縫い付けたり、花のテープ、やリボンを縫い付けたりして
年寄りだけでなく、若い人でも持てる様にする、又、自分の好きな
ショルダーバックにＤかん止め具をハンマーで叩いて、それを支柱のフックに
掛けるように、部品を付けました。
【図面の簡単な説明】
【００２７】
【図１】この考案の実施の形態１を示す正面図である。
【図２】この考案の実施の形態１を示す側面図である。
【図３】この考案の実施の形態１による中間バッグ体を伸長した状態を示す正面図である。
【図４】この考案の実施の形態１による背面図である。
【図５】この考案の実施の形態１に係る鞄と支柱をフックで止める図である。
【図６】この考案の実施の形態１の例を示す携帯用椅子の図である。
【図７】この考案の実施の形態１の例を示すストッパーの図である。
【図８】この考案の実施の形態１の例を示す鞄が落ちないようにした図である。
【図９】この考案の実施の形態１の例を示す使用状態図である。
【図１０】この考案の実施の形態１の他の例を示し、他の好みの鞄をつけるフックの図である。
【符号の説明】
【００２８】
１：底板、２：下部バッグ体、３：上部バッグ体、４：開閉蓋、６：中間バッグ体、７：係止体、８：支柱、９：取手杆、、１２：キャスター、１９：折りたたみ式携帯用椅子、、２１：ストッパ、２２：フック。10：押しボタン
【図１】
0003148302.tif 000003
【図２】
0003148302.tif 000004
【図３】
0003148302.tif 000005
【図４】
0003148302.tif 000006
【図５】
0003148302.tif 000007
【図６】
0003148302.tif 000008
【図７】
0003148302.tif 000009
【図８】
0003148302.tif 000010
【図９】
0003148302.tif 000011
【図１０】
0003148302.tif 000012